(57)【特許請求の範囲】
【請求項１】
付け毛束の基端部に、自毛束に対する止着手段が接着固定され、
前記止着手段が一端側を付け毛束の基端部に接着固定した結付け用糸で、該結付け用糸に、その結び目の解け止め輪が当該結付け用糸に沿って移動可能に嵌着され、
前記解け止め輪が、前記結付け用糸に括り付けられて当該結付け用糸を通す一対のループ部を有する括り糸からなるヘアエクステンション。
【請求項２】
付け毛束の基端部に一端側を固着した結付け用糸と、該結付け用糸に移動可能に嵌着された解け止め輪とを備えるヘアエクステンションを用い、解け止め輪を結付け用糸における結付け位置よりも先端側に配置した状態で、前記結付け用糸を自毛束に結び付けたのち、その結び目に当接するように該解け止め輪を移動させ、この移動後の解け止め輪に近い位置で結付け用糸の余剰分を切除することを特徴とするヘアエクステンションの取付方法。
【発明の詳細な説明】
【技術分野】
【０００１】
本発明は、所謂付け毛として頭髪に取り付けるヘアエクステンションと、その取付方法に関する。
【背景技術】
【０００２】
一般的に、ヘアエクステンションは、人毛や人工毛髪を束にしたものであり、髪を長く見せたり、頭髪のボリュームを増したり、自毛とは色の異なる毛束をファッション的に付けたりするのに広く利用されている。しかして、このようなヘアエクステンションを頭髪に取り付ける手段としては、自毛束と一緒に編み込む方法（特許文献１，２）、ホットメルト接着剤等で接着する方法、自毛束及びヘアエクステンションを通した金属製リングをニッパーで押し潰す方法（特許文献３）、自毛束とヘアエクステンションとの係合部に熱収縮チューブを被せて熱収縮させる方法（特許文献４，５）等が知られている。
【先行技術文献】
【特許文献】
【０００３】
【特許文献１】特開２００６−１３８０４１号公報
【特許文献２】特開２００８−１２７７０９号公報
【特許文献３】特開２００４−１５６１５７号公報
【特許文献４】特開２００４−３１０７号公報
【特許文献５】実用新案登録第３０９９９８７号公報
【発明の開示】
【発明が解決しようとする課題】
【０００４】
しかるに、自毛束と一緒に編み込む方法は、様々な編込み方式が考案され、現在でも美容院での主流になっているが、熟練を要する上に非常に手間がかかり、腕のよい美容師でも仕上げに時間がかかるという欠点があった。一方、ホットメルト接着剤を用いる方法は、接着剤によって自毛が痛み易い上、ドライヤーの熱で接着剤が軟化し、自毛とヘアエクステンションとが団子状に絡まるといった問題があった。また、金属製リングを押し潰す方法では、固定の確実性及び持続性に劣ると共に、リングによって自毛が切断され易いという難点があった。更に、熱収縮チューブを用いる方法では、該チューブ内に適量の自毛束を引き込むための道具と加熱器具が必要であると共に、該チューブ内への自毛束の引き込みに手間がかかるという難点があった。
【０００５】
本発明は、上述の事情に鑑みて、熟練を要さず且つ各別な道具を用いることなく、頭髪への取り付けを容易に短時間で行える上、自毛を痛める懸念のないヘアエクステンションと、その取付方法を提供することを目的としている。
【課題を解決するための手段】
【０００６】
上記目的を達成するための手段を図面の参照符号を付して示せば、請求項１の発明に係るヘアエクステンションＨ１は、付け毛束１の基端部１ａに、自毛束Ｈ０に対する止着手段（結付け用糸２）が接着固定され、
前記止着手段が一端側を付け毛束１の基端部１ａに接着固定した結付け用糸２で、該結付け用糸２に、その結び目２０の解け止め輪３が当該結付け用糸２に沿って移動可能に嵌着され、
前記解け止め輪３が、前記結付け用糸２に括り付けられて当該結付け用糸２を通す一対のループ部３ａ，３ａを有する括り糸からなる構成としている。
【００１０】
請求項２の発明に係るヘアエクステンションの取付方法は、付け毛束２の基端部１ａに一端側を固着した結付け用糸２と、該結付け用糸２に移動可能に嵌着された解け止め輪３とを備えるヘアエクステンションＨ１を用い、解け止め輪３を結付け用糸２における結付け位置よりも先端２ｂ側に配置した状態で、前記結付け用糸２を自毛束Ｈ０に結び付けたのち、その結び目２０に当接するように該解け止め輪３を移動させ、この移動後の解け止め輪３に近い位置で結付け用糸２の余剰分２１を切除することを特徴としている。
【発明の効果】
【００１１】
以下に、本発明の効果について、図面の参照符号を付して説明する。まず、請求項１の発明に係るヘアエクステンションＨ１は、自毛束Ｈ０に対し、付け毛束１の基端部１ａに設けた止着手段により、熟練を要さず、各別な道具も用いることなく、容易に短時間で取り付けることができ、自毛を痛めることもない。また、このヘアエクステンションＨ１の製作では、付け毛束１の基端部１ａを接着剤で結着する際に、同時に止着手段を接着固定すればよいから、操作的に簡単であると共に、安価に量産できる。
【００１２】
また本発明によれば、上記ヘアエクステンションＨ１の止着手段が一端側を付け毛束１の基端部１ａに接着固定した結付け用糸２であるため、この結付け用糸２を自毛束Ｈ０に結び付けることにより、該エクステンションＨ１を自毛束Ｈ０に対して非常に簡単に取り付けることができる上、硬質部分が存在しないので自毛及び頭皮を傷つける懸念もない。
【００１３】
さらに本発明によれば、上記の結付け用糸２を嵌着した自毛束Ｈ０に結び付けたのち、その結び目２０に解け止め輪３を当接させることにより、該結び目２０から延びる結付け用糸２の余剰分２１を切除しても当該結び目２０を安定に保持できるから、該余剰分２１を残した場合の露呈による体裁の悪さを解消できる。
【００１４】
そして本発明によれば、上記の解け止め輪３が結付け用糸２に括り付けられて  当該結付け用糸２を通す一対のループ部３ａ，３ａを有する括り糸からなるため、結び目２０の解け留め作用が確実である一方、結付け用糸２に沿って移動させる際には移動操作が容易であり、且つ該解け止め輪３が目立ちにくいという利点がある。
【００１５】
請求項２の発明に係るヘアエクステンションの取付方法によれば、上記の結付け用糸２及び解け止め輪３を備えるヘアエクステンションＨ１を用い、解け止め輪３を結付け用糸２における結付け位置よりも先端２ｂ側に配置した状態で、結付け用糸２を自毛束Ｈ０に結び付けたのち、その結び目２０に当接するように該解け止め輪３を移動させ、この移動後の解け止め輪３に近い位置で結付け用糸２の余剰分２１を切除することから、該ヘアエクステンションＨ１を自毛束Ｈ０に対して非常に簡単に取り付けることができる上、その取付状態で結付け用糸２の余剰分２１が露呈して体裁を悪くする懸念がない。
【図面の簡単な説明】
【００１６】
【図１】本発明に係る第一実施形態のヘアエクステンションの平面図である。
【図２】同ヘアエクステンションの自毛束に対する取付手順を示す見取り図である。
【図３】同ヘアエクステンションの自毛束に対する取付手順を示す見取り図である。
【図４】同ヘアエクステンションにおける解け止め輪の形成手順を（ａ）〜（ｅ）の５段階で示す見取り図である。
【図５】同第二実施形態のヘアエクステンションの基端側の平面図である。
【図６】同第三実施形態のヘアエクステンションの基端側の平面図である。
【図７】同第四実施形態のヘアエクステンションの基端側の平面図である。
【発明を実施するための形態】
【００１７】
図１に示す第一実施形態のヘアエクステンションＨ１は、付け毛束１の基端部１ａが接着剤によって結着されると共に、この基端部１ａに止着手段としての結付け用糸２の基端２ａ側が接着固定されている。そして、結付け用糸２には括り糸にて構成される解け止め輪３が当該結付け用糸２に沿って移動可能に嵌着されている。なお、付け毛束１の基端部１ａは毛が結着して軸状をなすが、該基端部１ａに近い毛束部分は全体的に横に広がった偏平な形態になっている。
【００１８】
このヘアエクステンションＨ１の取り付けにおいては、まず図２（ａ）で示すように、解け止め輪３を結付け用糸２の先端側に位置させた状態で、付け毛束１の基端部１ａ側を自毛束Ｈ０に沿わせ、その基端部１ａから延出する結付け用糸２の先端部２ｂ側を自毛束Ｈ０に周回させる。そして、図２（ｂ）のように、該結付け用糸２の先端２ｂ側を、付け毛束１の軸状をなす基端部１ａに掛かるようにすることで、輪２２を作り、その輪２２を、自毛束Ｈ０で覆うように、自毛束Ｈ０の毛先側Ｈ０ａを、その輪２２に周回させる。すると、この周回操作によって、図２（ｃ）で示すように、自毛束Ｈ０の輪Ｈ０ｂが形成される。
【００１９】
次に、図３（ａ）で示すように、図２（ｃ）で示す状態から、付け毛束１の基端部１ａから延出する結付け用糸２の基端側に輪２３を作る。そして、図３（ｂ）のように、該結付け用糸２の先端２ｂ側を、自毛束Ｈ０の輪Ｈ０ａに掛かる状態で輪Ｈ０ａに周回させて輪２３に通し、この通した結付け用糸２の先端２ｂ側を引き締める。この引き締め操作によって輪２３が縮まり、図３（ｃ）で示すように結び目２０が形成される。次いで、結付け用糸２の先端２ｂ側に位置していた解け止め輪３を移動させて結び目２０に当接させた上で、図３（ｄ）で示すように、該解け止め輪３の近傍で結付け用糸２の余剰分２１を切断ｃして取り付けが完了する。
【００２０】
従って、このヘアエクステンションＨ１は、自毛束Ｈ０に対して、熟練を要さず、各別な道具も用いることなく、更には自毛を痛めることもなく、結付け用糸２を結び付けるだけの非常に簡単な操作によって短時間で取り付けることができる。また、このヘアエクステンションＨ１には硬質部分が存在しないため、その取付状態で自毛及び頭皮を傷つける懸念がない上、解け止め輪３によって結付け用糸２の結び目２０を安定に保持できるので、上述のように該結び目２０から延びる結付け用糸２の余剰分２１を切除することで、該余剰分２１の露呈による体裁の悪化を未然に防止できる。また、このヘアエクステンションＨ１の製作においては、付け毛束１の基端部１ａを接着剤で結着する際に、その毛束中に結付け用糸２の基端２ａ側を埋入して同時に接着固定できるから、操作的に簡単であると共に、安価に量産できるという利点がある。
【００２１】
なお、図２では結付け用糸２の最も単純な結び付け方を例示したが、その結び付け方には特に制約はなく、例えば、本実施形態の図３においては、自毛束Ｈ０とヘアエクステンションＨ１との結び付けを結付け用糸２で行ったが、別体の糸（図示省略）を用いても良い。しかして、結び付け方によっては解け止め輪３がなくとも解けにくい結び目２０にできるが、このような結び目２０は概して複雑で却って結び付けに手間がかかることになるため、本実施形態における結び付け方が好ましい。
【００２２】
解け止め輪３については、例示した括り糸によるもの以外に、種々の形態及び材質のものを採用できるが，確実な解け留め作用を発揮する上で、例示した括り糸による解け止め輪３が好適であり、更に該括り糸でも図４（ｅ）で示すように結付け用糸２を通す一対のループ部３ａ，３ａを有する形態が特に推奨される。これは、ループ部３ａ，３ａが相互に接近した状態に対し、離れた状態では両ループ部３ａ，３ａが縮まって結付け用糸２との摺接抵抗を増すため、解け止め輪３を結付け用糸２上で移動させる際には、押すようにすれば両ループ部３ａ，３ａが接近して移動容易になる一方、結び目２０に近接させたのちに手放せば、応力開放で両ループ部３ａ，３ａが離れて移動困難になることによる。
【００２３】
上述のような一対のループ部３ａ，３ａを有する括り糸の解け止め輪３を生成するには、まず図４（ａ）で示すように、結付け用糸２に対して原料糸３０を二折りした状態で側方から当てがい、その二折りのアーチ部３１に対して両端部３０ａ，３０ａを図４（ｂ）の如く結付け用糸２を巻いて挿通させ、更に引き絞って該アーチ部３１を縮めることにより、図４（ｃ）の如くループ部３ａ，３ａを形成し、これによって引き出された両端部３０ａ，３０ａ同士を結んで更に引き絞り、さらに、図４（ｄ）の如く、両端部３０ａ，３０ａ同士を結んで更に引き絞り、図４（ｅ）の如く結び目３２を形成し、最後に両端余剰部３３，３３を切除ｃすればよい。
【００２４】
図５で示す第二実施形態のヘアエクステンションＨ２は、付け毛束１の基端部１ａにＵ字状に曲折した針金を一片側で接着固定することにより、止着部材としてのフック４を設けている。このようなヘアエクステンションＨ２では、自毛束（図示省略）を該フック４に挟み込むか、もしくは該フック４の内側を通して別体の糸（図示省略）で基端部１ａと自毛束を捲き込ンだのち、該フック４を折り付けることにより、容易に自毛束に取り付けることができる。
【００２５】
図６で示す第三実施形態のヘアエクステンションＨ３は、付け毛束１の基端部１ａに、先端に輪状部を曲折形成した針金を接着固定することにより、止着部材としての留め輪５を設けている。このようなヘアエクステンションＨ３では、ニードルという鍵針を用いて留め輪５に自毛束（図示省略）を通して、その通した自毛束（図示省略）で自毛束（図示省略）に括り付けるか、もしくは、該留め輪５に別体の糸（図示省略）を通して自毛束（図示省略）に括り付けることにより、容易に自毛束に取り付けることができる。
【００２６】
図７で示す第四実施形態のヘアエクステンションＨ４は、付け毛束１の基端部１ａに、先端に係止頭部６ａを有する係止ピン６を止着部材として接着固定している。このようなヘアエクステンションＨ４では、別体の糸（図示省略）を係止ピン６のネック部６ｂに掛かる形で自毛束（図示省略）に括り付けることにより、容易に自毛束に取り付けることができる。
【００２７】
しかして、これら第二〜第四実施形態のヘアエクステンションＨ２〜Ｈ４でも、熟練を要さず、各別な道具も用いることなく、容易に短時間で自毛束に取り付けることができ、自毛を痛めることもない。また、これらヘアエクステンションＨ２〜Ｈ４の製作では、付け毛束１の基端部１ａを接着剤で結着する際に、同時に止着手段を接着固定すればよいから、操作的に簡単であると共に、安価に量産できるという利点がある。
【００２８】
なお、本発明のヘアエクステンションでは、付け毛束１の基端部１ａに設ける止着手段として、第一〜第四実施形態で例示した以外の様々な形態のものを採用できる。また、付け毛束１としても、基端部１ａ側を例示したように幅広の偏平な形態とせず、膨らみのないストレート形態としてもよい。
【符号の説明】
【００２９】
１          付け毛束
１ａ        基端部
２          結付け用糸（止着手段）
２ａ        基端
２ｂ        先端
３          解け止め輪
３ａ        ループ部
４          フック（止着手段）
５          留め輪（止着手段）
６          係止ピン（止着手段）
Ｈ０        自毛束
Ｈ１〜Ｈ４  ヘアエクステンション
【図１】
0005468844.tif 000002
【図２】
0005468844.tif 000003
【図３】
0005468844.tif 000004
【図４】
0005468844.tif 000005
【図５】
0005468844.tif 000006
【図６】
0005468844.tif 000007
【図７】
0005468844.tif 000008